(57)【要約】【課題】音源ファイルリスト上の複数の音源ファイルの中から所望の音源ファイルを、タッチスクリーンを介して選択して試聴し、再生するタッチスクリーン付き音源再生装置及び音源選択再生方法を提供する。【解決手段】タッチスクリーン付き音源再生装置がコンテンツ格納箱の音源ファイルリストをタッチスクリーン画面に表示し、音源ファイルリストの中から試聴対象の音源ファイルがタッチスクリーンを介してタッチダウンされることで選択されたことを確認すると、入力されたタッチ信号の種類に応じて当該選択された音源ファイルを再生し、または試聴再生する。当該装置はタッチスクリーンを介して音源ファイルの試聴再生を制御し、または試聴再生中の音源ファイルをプレーヤで再生するなどの動作を行うことにより、ユーザがタッチスクリーンを介した指示によって簡易に音源を選択再生できるようにする。【選択図】図２
2010205394.tif 000002
【特許請求の範囲】
【請求項１】
音源ファイルリストを表示するタッチスクリーンと、
タッチダウンによって前記音源ファイルリストの中から音源ファイルが選択されると、前記音源ファイルを試聴再生し、タッチアップが発生すると前記試聴再生を中止するプロセッサと、を備えることを特徴とする音源再生装置。
【請求項２】
前記プロセッサは、前記音源ファイルに対応する前記タッチスクリーンの第１の領域において前記タッチアップが発生すると、前記音源ファイルを再生するプレーヤを実行することを特徴とする請求項１に記載の音源再生装置。
【請求項３】
前記プロセッサは、前記タッチスクリーンの前記第１の領域ではない第２の領域において前記タッチアップが発生すると、前記音源ファイルの試聴再生を中止し、再び前記音源ファイルリストを表示させることを特徴とする請求項２に記載の音源再生装置。
【請求項４】
音源ファイルリストを表示するタッチスクリーンと、
前記音源ファイルリストの中から第１の音源ファイルを選択するために入力されるタッチダウンがロングキー信号であるか、またはショートキー信号であるかを識別し、識別結果に応じて前記第１の音源ファイルに対する再生または試聴再生を行うプロセッサと、を備えることを特徴とする音源再生装置。
【請求項５】
前記プロセッサは、
前記タッチダウンが前記ロングキー信号であるか、または前記ショートキー信号であるかを識別するタッチ識別部と、
前記タッチダウンが前記ロングキー信号であると識別されると、前記第１の音源ファイルを試聴再生する試聴実行部と、
前記タッチダウンが前記ショートキー信号であると識別されると、前記第１の音源ファイルを再生するプレーヤ管理部と、を備えることを特徴とする請求項４に記載の音源再生装置。
【請求項６】
前記プロセッサは、第２の音源ファイルが選択されると、前記第１の音源ファイルに対する試聴再生を中止し、前記第２の音源ファイルに対する試聴再生を行うことを特徴とする請求項４に記載の音源再生装置。
【請求項７】
前記プロセッサは、前記タッチダウンが入力される間に前記第１の音源ファイルに対する試聴再生を行うことを特徴とする請求項４に記載の音源再生装置。
【請求項８】
前記プロセッサは、前記第１の音源ファイルが試聴再生中にタッチアップが入力されると、前記試聴再生を中止することを特徴とする請求項７に記載の音源再生装置。
【請求項９】
タッチスクリーンの画面に音源ファイルリストを表示し、
タッチダウンによって前記音源ファイルリストの中から音源ファイルが選択されると、前記音源ファイルを試聴再生し、
タッチアップが発生すると、前記試聴再生を中止する、ことを含むことを特徴とする音源選択再生方法。
【請求項１０】
前記音源ファイルに対応する前記タッチスクリーンの第１の領域において前記タッチアップが発生すると、前記音源ファイルを再生するプレーヤを実行することをさらに含むことを特徴とする請求項９に記載の音源選択再生方法。
【請求項１１】
前記タッチスクリーンの前記第１の領域ではない第２の領域において前記タッチアップが発生すると、前記試聴再生を中止し、前記音源ファイルリストを表示することをさらに含むことを特徴とする請求項１０に記載の音源選択再生方法。
【請求項１２】
タッチスクリーンの画面に音源ファイルリストを表示し、
音源ファイルに対応する試聴アイコンに第１のタッチが入力されると、前記音源ファイルを試聴再生し、
前記音源ファイルに対応する前記タッチスクリーンの領域がタッチされると、前記音源ファイルを再生するプレーヤを実行し、
前記音源ファイルを再生リストに追加するためのタッチが入力されると、前記音源ファイルを前記プレーヤの再生リストに追加する、ことを含むことを特徴とする音源選択再生方法。
【請求項１３】
前記音源ファイルを視聴再生中に前記タッチスクリーンを介して入力される、予め決められたジェスチャーに応じて、音量、早送り、及び巻き戻しの少なくとも一つを調整することをさらに含むことを特徴とする請求項１２に記載の音源選択再生方法。
【請求項１４】
前記音源ファイルに対応する試聴アイコンに第２のタッチが入力されると、前記音源ファイルの前記試聴再生を中止することをさらに含むことを特徴とする請求項１２に記載の音源選択再生方法。
【請求項１５】
タッチスクリーンの画面に音源ファイルリストを表示し、
第１の音源ファイルに対応する前記タッチスクリーンの領域にタッチダウンが入力されると、前記タッチダウンがロングキー信号であるか、またはショートキー信号であるかを識別し、
前記タッチダウンが前記ロングキー信号であると識別されると、前記第１の音源ファイルを試聴再生する、ことを含むことを特徴とする音源選択再生方法。
【請求項１６】
前記タッチダウンが前記ショートキー信号であると識別されると、前記第１の音源ファイルを再生するプレーヤを実行することをさらに含むことを特徴とする請求項１５に記載の音源選択再生方法。
【請求項１７】
第２の音源ファイルが選択されると、前記第１の音源ファイルに対する前記試聴再生を中止し、前記第２の音源ファイルを試聴再生することをさらに含むことを特徴とする請求項１５に記載の音源選択再生方法。
【請求項１８】
タッチアップが入力されると、前記第１の音源ファイルの前記試聴再生を中止することをさらに含むことを特徴とする請求項１５に記載の音源選択再生方法。
【発明の詳細な説明】
【技術分野】
【０００１】
本発明は音源再生に関し、より詳しくは、本発明は、タッチスクリーンを介して音源リストに表示された音源ファイルの中から音源を選択し、試聴または再生する音源再生装置及び音源選択再生方法に関する。
【背景技術】
【０００２】
ＭＰ３(Moving Picture Experts Group Audio Layer-3)ファイルなどのファイルからなる音源を格納しておき、持ち歩きながら音楽を楽しむことができる音源再生装置が普及している。この種の音源再生装置では、キーパッドを介して入力された情報によって音源再生のための選択操作を行っている。
【０００３】
そして、近年は、タッチスクリーンを備え、タッチスクリーンを介した入力によって音源再生を行う音源再生装置が普及している。また、タッチスクリーンを用いる音源再生装置を内蔵する携帯電話機などの携帯機器もある。
【０００４】
この種のタッチスクリーン付き音源再生装置では、当該装置に格納されている音源の中からユーザにより選択される所望の音源を再生するためには、当該音源の再生前にユーザ所望の音源であるか否かを確認しなければならない。
【０００５】
しかしながら、音源再生装置において所望の音源を選択して再生するための従来の技術は、キーパッドの入力操作を基盤としており、かかる技術をタッチスクリーン付き音源再生装置には適用することができない。
【先行技術文献】
【特許文献】
【０００６】
【特許文献１】韓国公開特許第１０−０８１５５２３号公報
【発明の概要】
【発明が解決しようとする課題】
【０００７】
本発明は、上記のような従来の問題点を解決するためになされたものであって、その目的は、音源ファイルリスト上の複数の音源ファイルの中から所望の音源ファイルを、タッチスクリーンを介して選択して試聴し、再生するタッチスクリーン付き音源再生装置及び音源選択再生方法を提供することである。
【課題を解決するための手段】
【０００８】
上記のような目的を達成するために、本発明の一実施形態に係る音源再生装置は、音源ファイルリストを表示するタッチスクリーンと、タッチダウンによって前記音源ファイルリストの中から音源ファイルが選択されると、前記音源ファイルを試聴再生し、タッチアップが発生すると前記試聴再生を中止するプロセッサと、を備える。
【０００９】
また、本発明の一実施形態に係る音源再生装置は、音源ファイルリストを表示するタッチスクリーンと、前記音源ファイルリストの中から第１の音源ファイルを選択するために入力されるタッチダウンがロングキー信号であるか、またはショートキー信号であるかを識別し、識別結果に応じて前記第１の音源ファイルに対する再生または試聴再生を行うプロセッサと、を備える。
【００１０】
また、本発明の一実施形態に係るタッチスクリーン付き音源再生装置における音源選択再生方法は、タッチスクリーンの画面に音源ファイルリストを表示し、タッチダウンによって前記音源ファイルリストの中から音源ファイルが選択されると、前記音源ファイルを試聴再生し、タッチアップが発生すると、前記試聴再生を中止する、ことを含む。
【００１１】
また、本発明の一実施形態に係るタッチスクリーン付き音源再生装置における音源選択再生方法は、タッチスクリーンの画面に音源ファイルリストを表示し、音源ファイルに対応する試聴アイコンに第１のタッチが入力されると、前記音源ファイルを試聴再生し、前記音源ファイルに対応する前記タッチスクリーンの領域がタッチされると、前記音源ファイルを再生するプレーヤを実行し、前記音源ファイルを再生リストに追加するためのタッチが入力されると、前記音源ファイルを前記プレーヤの再生リストに追加する、ことを含む。
【００１２】
また、本発明の一実施形態に係るタッチスクリーン付き音源再生装置における音源選択再生方法は、タッチスクリーンの画面に音源ファイルリストを表示し、第１の音源ファイルに対応する前記タッチスクリーンの領域にタッチダウンが入力されると、前記タッチダウンがロングキー信号であるか、またはショートキー信号であるかを識別し、前記タッチダウンが前記ロングキー信号であると識別されると、前記第１の音源ファイルを試聴再生する、ことを含む。
【発明の効果】
【００１３】
本発明による音源再生装置では、当該装置に格納されている複数の音源ファイルの中から所望の音源ファイルを、ユーザがタッチスクリーンを介した操作によって簡易に選択して再生することができる。
【図面の簡単な説明】
【００１４】
【図１】(ａ)は、本発明の第１の実施形態に係るタッチスクリーン付き音源再生装置を示すブロック構成図であり、(ｂ)は、本発明の第２の実施形態に係る音源再生装置を示すブロック構成図である。
【図２】本発明の第１の実施形態に係る音源再生装置における音源選択再生過程を示す図である。
【図３】本発明の第２の実施形態に係る音源再生装置における音源選択再生過程を示す図である。
【図４】(ａ)〜(ｄ)は、本発明の第１の実施形態に係る音源再生過程を説明するためのタッチスクリーン表示及びタッチ操作を例示する図である。
【図５】(ａ)〜(ｆ)は、本発明の第２の実施形態に係る音源再生過程を説明するためのタッチスクリーン表示及びタッチ操作を例示する図である。
【図６】本発明の第３の実施形態に係る音源再生過程を示す図である。
【発明を実施するための形態】
【００１５】
以下、添付図面を参照して本発明の好適な実施形態について詳しく説明する。
【００１６】
図１(ａ)は、本発明の第１の実施形態に係るタッチスクリーン付き音源再生装置を示すブロック構成図である。本発明の第１の実施形態に係るタッチスクリーン付き音源再生装置１０は、図１(ａ)に示すように、タッチスクリーン１１と、プロセッサ１２と、メモリ部１３と、音源入力部１４と、音源出力部１５と、を備える。
【００１７】
タッチスクリーン１１は、プロセッサ１２の制御によって画像を表示し、当該画像を介してユーザがタッチすると、該タッチによって入力されたタッチ入力情報をプロセッサ１２に印加する。プロセッサ１２は、プログラムによって音源の再生のための各種処理を行い、音源の格納及び再生に係る画像をタッチスクリーン１１に出力するとともに、タッチスクリーン１１を介して入力されたタッチ入力情報に基づいて音源を格納するか、音源を選択再生するか、または試聴再生するための処理を行う。
【００１８】
音源入力部１４は、プロセッサ１２の制御によって音源を獲得し、当該獲得された音源をプロセッサ１２を介してメモリ部１３に格納する。音源入力部１４は、通信網に接続されて通信網から音源を取得し、またはハードウェアまたはソフトウェアの入力ポートから入力される音源を受信する方式で音源を取得する。
【００１９】
メモリ部１３は、音源再生装置１０を駆動のための各種のプログラムを格納し、該プログラムをプロセッサ１２に提供して、プロセッサ１２の制御によって音源入力部１４からプロセッサ１２を介して入力される音源を格納し、または当該格納された音源を出力する。メモリ部１３は、音源を格納する場合に、ＭＰ３ファイルなどのようなファイル形式で格納する。
【００２０】
音源出力部１５は、プロセッサ１２によって再生処理される音源を出力し、再生されたアナログ音源信号をスピーカーまたはイヤホンから出力することでユーザに対し再生された音源を出力する。
【００２１】
プロセッサ１２は、音源再生のための処理を行うことにより、取得したアナログ音源信号を音源出力部１５を介して出力する。プロセッサ１２は、タッチスクリーン１１を介したユーザの指示に応じて試聴再生処理とプレーヤによる再生処理を行う。
【００２２】
試聴再生処理の場合、プロセッサ１２は、視聴再生のために選択された一つの音源ファイルのみを試聴再生する試聴再生用プログラムに対応する試聴プレーヤによって試聴再生処理を行う。プレーヤによる再生処理の場合には、プロセッサ１２が、例えば、再生リストの中から選択された複数の音源ファイルを調整し、再生する音源再生用プログラムに対応するプレーヤによって再生処理を行う。プロセッサ１２が試聴再生処理を行う場合には、ユーザによって選択された一つの音源ファイルのみを再生し、タッチスクリーン１１を介したユーザのジェスチャー入力によって音量、早送り、巻き戻しなどを含む単純な調整だけが可能である。
【００２３】
一方、プレーヤによる再生処理を行う場合には、タッチスクリーン１１の画面にユーザの音源再生の調整のためのＧＵＩ（Ｇｒａｐｈｉｃａｌ Ｕｓｅｒ Ｉｎｔｅｒｆａｃｅ）が表示される。ユーザは、タッチスクリーン１１の画面に表示されたＧＵＩを介して音量、左右のバランス及びイコライザーなどを含む音源調節のための様々なコントロール項目を調整するとともに、再生リストに収録された複数の音源ファイルを再生することができる。
【００２４】
そして、プロセッサ１２は、音源入力部１４から取得される音源ファイルをメモリ部１３に格納する。タッチスクリーン１１の画面上に表示するコンテンツ格納箱(ｃｏｎｔｅｎｔ  ｂｏｘ)をユーザがタッチ入力によって選択する場合には、プロセッサ１２が当該コンテンツ格納箱を実行してメモリ部１３に格納されている音源ファイルのリストまたは再生リストをタッチスクリーン１１の画面に表示し、該表示された音源ファイルリストの中からユーザによって選択される音源ファイルを試聴再生する。ユーザは、コンテンツ格納箱の音源ファイルリストの中から音源ファイルを選択して試聴する。
【００２５】
そして、プロセッサ１２は、タッチスクリーン１１を介したユーザの指示に応じて、コンテンツ格納箱の音源ファイルを試聴再生している途中に当該音源ファイルをプレーヤで再生したり、当該音源ファイルを再生リストに追加したりすることにより、ユーザがタッチスクリーン１１を介して所望の音源ファイルを容易に選択し再生できるようにする。
【００２６】
プロセッサ１２は、コンテンツ格納箱を実行した状態で画面に音源ファイルリストが表示されるようにタッチスクリーン１１を制御する。ユーザがタッチスクリーン１１に表示された音源ファイルリストの中から選択された音源ファイル名をタッチスクリーン１１を介してタッチ（以下、「タッチダウン」とも称する）すると、プロセッサ１２は、タッチダウンによって選択された音源ファイルを試聴再生し、音源出力部１５から出力する。タッチダウンは、ユーザが指先やタッチペンなどを利用してタッチスクリーンの画面を押している状態である。
【００２７】
そして、音源再生装置１０のプロセッサ１２は、ユーザがタッチスクリーン１１の画面に表示された音源ファイルリストの音源ファイルをタッチダウンしている途中に当該タッチダウンされた音源ファイルの領域ではない他の領域でタッチアップする場合、試聴再生を止めてコンテンツ格納箱の音源ファイルリストをタッチスクリーン１１の画面に再び表示する。タッチアップは、ユーザが指先やタッチペンを利用して押していたタッチスクリーンの画面から離れる状態である。
【００２８】
一方、音源再生装置１０のプロセッサ１２は、コンテンツ格納箱を実行した状態でタッチスクリーン１１の画面に音源ファイルリストを表示し、音源ファイルに対応する試聴アイコンを表示してもよい。ユーザが試聴アイコンをタッチスクリーン１１を介してタッチすると、プロセッサ１２は、当該ユーザによってタッチされた試聴アイコンに対応する音源ファイルを試聴再生して音源出力部１５から出力する。
【００２９】
そして、音源再生装置１０のプロセッサ１２は、音源ファイルを試聴再生している途中にタッチスクリーン１１を介して予め決められた、或いはユーザによって設定されたジェスチャーが入力されると、当該試聴再生中の音源の音量、早送り及び巻き戻しなどを調整する処理を行ってもよい。ここで、試聴再生中の音源ファイルは、タッチされた試聴アイコンに対応する音源ファイルである。
【００３０】
また、音源再生装置１０のプロセッサ１２は、音源ファイルを試聴再生している途中にユーザがタッチスクリーン１１を介して当該試聴再生中の音源ファイルの試聴ファイルをタッチすると、当該音源ファイルの試聴再生を中止し、コンテンツ格納箱の音源ファイルリストをタッチスクリーン１１の画面に表示してもよい。ここで、試聴再生中の音源ファイルは、タッチされた試聴アイコンに対応する音源ファイルである。
【００３１】
そして、音源再生装置１０のプロセッサ１２は、ユーザがタッチスクリーン１１の画面に表示された音源ファイルリストに収録された音源ファイルの試聴アイコンをタッチし、当該試聴アイコンがタッチされた音源ファイルを試聴再生している途中にタッチスクリーン１１を介して再生リストの追加のためのユーザのタッチ入力があった場合に、当該試聴再生中の音源ファイルを再生リストに追加することもできる。
【００３２】
図１(ｂ)は、本発明の第２の実施形態に係るタッチスクリーン付き音源再生装置を示すブロック構成図である。
【００３３】
図１(ｂ)に示す音源再生装置１０は、プロセッサ１１０と、タッチスクリーン１１と、メモリ部１３と、音源入力部１４と、及び音源出力部１５と、を備える。タッチスクリーン１１、メモリ部１３、音源入力部１４、及び音源出力部１５は、図１(ａ)に示した第１の実施形態の構成要素と実質的に対応する。そのため、ここでは、プロセッサ１１０の構成を中心に第２の実施形態を説明することにする。
【００３４】
ユーザがタッチダウンによってタッチスクリーン１１に表示された音源ファイルリストの中から音源ファイルを選択すると、プロセッサ１１０は、タッチスクリーン１１を介して入力されたタッチダウンがロングキー信号であるか、あるいはショートキー信号であるかを識別する。そして、プロセッサ１１０は、タッチダウンがロングキー信号であるか、あるいはショートキー信号であるかの識別結果に応じてユーザが選択した音源ファイルに対する再生あるいは試聴再生を選択的に行う。
【００３５】
このような動作のために、プロセッサは、タッチ識別部１１２と、試聴実行部１１１と、プレーヤ管理部１１３を備えてもよい。
【００３６】
ユーザがタッチスクリーン１１を介して音源ファイルを選択するためのタッチダウンを入力すると、タッチ識別部１１２は、ユーザが入力するタッチダウンがロングキー信号であるか、またはショートキー信号であるかを識別し、その識別結果に応じて試聴実行部１１１あるいはプレーヤ管理部１１３を駆動する。
【００３７】
試聴実行部１１１は、タッチスクリーン１１を介して入力されたタッチダウンがロングキー信号であると識別されると、音源ファイルリストを画面にそのまま表示しながらユーザが選択した音源ファイルを試聴再生する。
【００３８】
プレーヤ管理部１１３は、タッチスクリーンを介して入力されたタッチダウンがショートキー信号であると識別されると、プレーヤを実行させて、画面に表示してユーザが選択した音源ファイルを再生させる。
【００３９】
選択された音源ファイルが試聴再生中の状態で新たな音源ファイルが選択されると、プロセッサ１１０は、進行中の試聴再生を中止し、新たに選択された音源ファイルに対して試聴再生を行ってもよい。また、選択された音源ファイルが試聴再生中の状態でタッチアップが入力されると、プロセッサ１１０が当該音源ファイルに対する試聴再生を中止し、元のモードに戻って音源ファイルリストを再び表示してもよい。
【００４０】
本発明の第１の実施形態による音源再生装置における音源選択再生処理は、図２に示すようにして進められる。図４(ａ)、図４（b）、図４(c)、及び図４(ｄ)は、本発明の第１の実施形態による音源再生過程を説明するためのタッチスクリーン表示及びタッチ操作を例示する図である。この音源再生過程は、図１(ａ)に示す音源再生装置が使用されてもよい。
【００４１】
図２を参照すると、先ず、音源再生装置１０のプロセッサ１２は、タッチスクリーン１１を介したユーザの指示に応じてコンテンツ格納箱を実行し、図４(ａ)に示すようにタッチスクリーン１１の画面に音源ファイルリストを表示する（ステップＳ２０１）。
【００４２】
このように音源ファイルリストをタッチスクリーン１１の画面に表示した状態で、ユーザは、タッチスクリーン１１の画面に表示された音源ファイルリストの音源ファイルを、図４(ｂ)に示すように指先やタッチペンのようなもので押してタッチダウンすることで試聴を所望する音源ファイルを選択する（ステップＳ２０２）。次いで、音源再生装置１０のプロセッサ１２は、当該選択された音源ファイルが再生可能な音源ファイルであるか否かを確認する（ステップＳ２０３）。
【００４３】
このとき、当該選択された音源ファイルが再生可能な音源ファイルであると確認されると（ステップＳ２０３：ＹＥＳ）、音源再生装置１０のプロセッサ１２は、当該選択された音源ファイルの頭の部分から試聴再生して音源出力部１５から出力することによりユーザが音源ファイルを試聴できるようにする（ステップＳ２０４）。
【００４４】
このように音源再生装置１０のプロセッサ１２は、音源ファイルを試聴再生中に、図４(ｃ)に示すようにユーザがタッチスクリーン１１を介して当該選択された音源ファイルリスト領域から指先やタッチペンのようなものを離すことによるタッチアップか否かを確認する（ステップＳ２０５）。
【００４５】
このとき、音源再生装置１０のプロセッサ１２は、ユーザがタッチスクリーン１１を介して当該選択された音源ファイルリスト領域からタッチアップしたことを確認すると（ステップＳ２０５：ＹＥＳ）、当該試聴再生していた音源ファイルを再生するためのプレーヤを実行して音源出力部１５から出力する（ステップＳ２０６）。
【００４６】
また、上述したステップＳ２０３において選択された音源ファイルが再生可能な音源ファイルではないと確認されると（ステップＳ２０３：ＮＯ）、音源再生装置１０のプロセッサ１２は、図４(ｄ)に示すように、ユーザにより当該タッチダウンされた音源ファイルリスト領域ではない他の領域でタッチアップされたか否かをタッチスクリーン１１から確認する。音源ファイルリスト領域ではない他の領域でのタッチアップの確認後（ステップＳ２０５：ＮＯ）、プロセッサ１２は、コンテンツ格納箱の音源リストを表示するモードに切り替え（ステップＳ２０７）、上述したステップＳ２０２に戻る。
【００４７】
そして、上述したステップＳ２０５において、音源再生装置１０のプロセッサ１２が、ユーザがタッチダウンされた音源ファイルリスト領域ではない他の領域でタッチアップしたことをタッチスクリーン１１から確認すると（ステップＳ２０５：ＮＯ）、プロセッサ１２が試聴再生を中止し、コンテンツ格納箱の音源リストを表示するモードに切り替え、上述したステップＳ２０２に戻る。
【００４８】
上述したように、本発明の第１の実施形態に係る音源再生装置における音源選択再生処理によれば、コンテンツ格納箱の実行時に音源ファイルリストをタッチスクリーン１１の画面に表示し、当該音源ファイルリストの中からユーザによってタッチスクリーン１１を介して選択される音源ファイルを試聴再生して音源出力部１５から出力する。ユーザは、このような過程を通じて所望する音源を試聴して確認した後、タッチスクリーン１１を介してユーザが選択を入力することにより当該音源をプレーヤで再生することができる。
【００４９】
本発明の第２の実施形態による音源再生装置における音源選択再生処理は、図３に示すようにして進められる。図５(ａ)、図５(ｂ)、図５(ｃ)、図５(ｄ)、図５(ｅ)、及び図５(ｆ)は、本発明の第２の実施形態に係る音源再生過程を説明するためのタッチスクリーン表示及びタッチ操作を例示する図である。この音源再生過程は、図１(ａ)に示す音源再生装置が使用されてもよい。
【００５０】
図３を参照すると、先ず、音源再生装置１０のプロセッサ１２は、タッチスクリーン１１を介したユーザの指示に応じてコンテンツ格納箱を実行し、図５(ａ)に示すようにタッチスクリーン１１の画面に音源ファイルリストを表示し、このとき、試聴アイコンを音源ファイルとともに表示する（ステップＳ３０１）。
【００５１】
このように音源ファイルリストをタッチスクリーン１１の画面に表示した状態で、ユーザがタッチスクリーン１１の画面に表示された音源ファイルリストに収録された音源ファイルの試聴アイコンを、図５(ｂ)に示すように指先やタッチペンなどでタッチして選択すると、音源再生装置１０のプロセッサ１２は試聴モードに切り替える（ステップＳ３０２）。
【００５２】
このように試聴モードに切り替えた状態で、音源再生装置１０のプロセッサ１２は、タッチされた試聴アイコンに対応する音源ファイルが再生可能な音源ファイルであるか否かを確認する（ステップＳ３０３）。
【００５３】
このとき、音源再生装置１０のプロセッサ１２は、当該試聴アイコンが選択された音源ファイルが再生可能な音源ファイルであると確認すると（ステップＳ３０３：ＹＥＳ）、当該試聴アイコンが選択された音源ファイルの頭の部分から試聴再生を行う。当該試聴再生された音源は、音源出力部１５から出力されることでユーザに対して試聴サービスを提供する（ステップＳ３０４）。
【００５４】
このように試聴再生を行っている途中に、ユーザがタッチスクリーン１１を介して指先やタッチペンを利用して図５(ｃ)に示すように予め決められたジェスチャーを入力すると、音源再生装置１０のプロセッサ１２は、当該ジェスチャー機能に従って試聴再生中の音源の音量や早送り、巻き戻しなどを調整する処理を行う（ステップＳ３０５）。
【００５５】
そして、音源再生装置１０のプロセッサ１２は、ユーザがタッチスクリーン１１を介して音源ファイルリストの中から試聴再生中の音源ファイルをタッチするか否かを確認する（ステップＳ３０６）。ユーザがタッチスクリーン１１を介して音源ファイルリストの中から試聴再生中の音源ファイルをタッチしたことを確認すると（ステップＳ３０６：ＹＥＳ）、プロセッサ１２は、当該音源ファイルを再生するプレーヤを実行して音源出力部１５から出力する（ステップＳ３０７）。
【００５６】
併せて、音源再生装置１０のプロセッサ１２は、音源ファイルを試聴再生中にユーザがタッチスクリーン１１を介して再生リストに音源ファイルを追加するためのタッチ入力をするか否かを確認する（ステップＳ３０８）。プロセッサ１２がユーザの再生リストに音源ファイルを追加するためのタッチ入力を確認すると（ステップＳ３０８：ＹＥＳ）、当該試聴再生していた音源ファイルを音源再生対象の再生リストに追加する（ステップＳ３０９）。このように再生リストに音源ファイルを追加するための処理を行うために、音源再生装置１０のプロセッサ１２は、図５(ｄ)に示すようにタッチスクリーン１１の画面に音源ファイルリストを表示した状態でユーザがタッチスクリーン１１を介してメニューをタッチするか否かを検知する。ユーザのタッチが検知されると、プロセッサ１２は、例えば、図５(ｅ)に示すようにタッチスクリーン１１の画面にメニューリストを表示するためのポップアップメニューを表示し、ユーザが当該ポップアップメニューに収録された「再生リストに追加」というメニューをタッチして選択したことを検知することにより、タッチスクリーン１１を介して再生リストに音源ファイルを追加するためのタッチ入力のように選択動作を行うためのタッチ入力を確認する。そして、音源再生装置１０のプロセッサ１２は、ユーザが当該ポップアップメニューに収録された「再生リストに追加」というメニューをタッチして選択したことを検知すると、当該試聴再生していた音源ファイルを再生リストに追加する。併せて、プロセッサ１２は、図５(ｆ)に示すようにタッチスクリーン１１の画面に当該試聴再生していた音源ファイルを再生リストに追加したことを知らせるポップアップ窓を表示した後、再生リストの追加処理を終了する。
【００５７】
また、上述したステップＳ３０３において、試聴アイコンが選択された音源ファイルが再生可能な音源ファイルではないと確認されると(ステップＳ３０３：ＮＯ)、音源再生装置１０のプロセッサ１２は、ユーザによるタッチ入力の有無を確認する。ユーザがタッチスクリーン１１を介して当該音源ファイルの試聴アイコンをタッチすると、プロセッサ１２は、コンテンツ格納箱の音源リストを表示するモードに切り替え（ステップＳ３１０）、上述したステップＳ３０２に戻る。
【００５８】
そして、音源再生装置１０のプロセッサ１２は、上述したステップＳ３０６においてユーザがタッチスクリーン１１を介して音源ファイルリストの中から試聴再生中の音源ファイルをタッチせず(ステップＳ３０６：ＮＯ)、その代わりにステップＳ３１０においてユーザがタッチスクリーン１１を介して当該音源ファイルの試聴アイコンをタッチするか否かを確認する。試聴アイコンのタッチを確認すると、プロセッサ１２が試聴再生を中止し、コンテンツ格納箱の音源リストを表示するモードに切り替えた後、上述したステップＳ３０２に戻る。
【００５９】
上述したように、本発明の第２の実施形態による音源再生装置における音源選択再生処理によれば、音源再生装置１０は、ユーザがタッチスクリーン１１の画面に表示された音源ファイルリストに収録された音源ファイルの試聴アイコンをタッチすると、当該アイコンがタッチされた音源ファイルを試聴再生して音源出力部１５から出力する。ユーザは、かかる過程を通じて所望する音源を試聴して確認した後、タッチスクリーン１１を介してのユーザの選択によって当該音源をプレーヤで再生し、タッチスクリーン１１を介してのユーザの再生リストを追加するためのタッチ入力によって当該試聴再生中の音源ファイルを再生リストに追加することができる。
【００６０】
本発明の第３の実施形態に係る音源再生装置における音源選択再生処理は、図６に示すようにして進められる。この音源選択再生処理は、図１(ｂ)の音源再生装置が使用されてもよい。
【００６１】
図６を参照すれば、先ず、プロセッサ１１０は、タッチスクリーン１１を介してのユーザ入力によってコンテンツ格納箱を実行し、タッチスクリーン１１の画面に音源ファイルリストを表示する（ステップＳ４０１）。
【００６２】
次いで、タッチスクリーン１１の画面に音源ファイルリストが表示された状態で、ユーザがタッチダウン動作を行って音源ファイルを選択すると（ステップＳ４０２）、プロセッサ１１０は、選択された音源ファイルが再生可能な音源ファイルであるか否かを確認する（ステップＳ４０３）。
【００６３】
タッチダウンによって画面に表示された音源ファイルリストの中から音源ファイルが選択された後、選択された音源ファイルが再生不可能な音源ファイルであると確認されると（ステップＳ４０３：ＮＯ）、プロセッサ１１０は、タッチスクリーン１１上に音源ファイルリストを再び表示する（ステップＳ４１０）。なお、上記選択された音源ファイルが再生可能な音源ファイルであると確認されると（ステップＳ４０３：ＹＥＳ）、プロセッサ１１０は、タッチダウン入力がロングキー信号であるか、またはショートキー信号であるかを識別する（ステップＳ４０４）。
【００６４】
ユーザがタッチを長く行ってロングキー信号とすると、即ち、上記タッチダウンがロングキー信号であると確認されると（ステップＳ４０４：ロングキー）、プロセッサ１１０は、選択された音源ファイルの頭の部分から試聴再生して音源出力部１５から出力する（ステップＳ４０６）。
【００６５】
また、プロセッサ１２は、ユーザの画面上のタッチダウンによって選択された音源ファイルを試聴再生中にユーザがタッチスクリーン１１の他の領域でタッチダウンして新たな音源ファイルを選択するか否かを確認する（ステップＳ４０７）。
【００６６】
試聴再生の途中にユーザが新たな音源ファイルを選択すると（ステップＳ４０７：ＹＥＳ）、プロセッサ１１０は、試聴再生していた音源ファイルの試聴再生を中止し（ステップＳ４１１）、新たに選択された音源ファイルを頭の部分から試聴再生する（ステップＳ４０６）。
【００６７】
また、プロセッサ１１０は、タッチダウンによって選択された音源ファイルが試聴再生中の状態でタッチアップが入力されるか否かを確認する（ステップＳ４０８）。ステップＳ４０８において、タッチアップが発生すると、プロセッサ１１０は、当該音源ファイルの試聴再生を中止した後、コンテンツ格納箱の音源リストを表示する元のリスト表示モードに切り替える（ステップＳ４０９）。上述したステップＳ４０３において、選択された音源ファイルが再生可能な音源ファイルではないと確認される場合（ステップＳ４０３：ＮＯ）、プロセッサ１１０は、ステップＳ４０１のリスト表示モードに戻って待機する（Ｓ４１０）。
【００６８】
再びステップＳ４０４に戻り、ユーザが軽いタッチによって音源ファイルを選択すると、プロセッサ１１０は、プレーヤをタッチスクリーン１１の最前面（ｆｏｒｅｇｒｏｕｎｄ）で駆動して選択された音源ファイルを再生する（ステップＳ４０５）。ステップＳ４０５は、ユーザが短い時間のタッチダウンを行ってからタッチアップすることで、音源ファイルを選択するタッチダウンがショートキー信号であると識別される場合に実行される。
【００６９】
このように、プロセッサ１１０は、タッチダウンの発生時にロングキー／ショートキー信号を識別する。ロングキー信号としてタッチが長く入力されると、プロセッサ１１０が試聴を行い、試聴途中にユーザが指先などを離してタッチアップすると、プロセッサ１１０が試聴を中止する。ショートキー信号のように軽くタッチが入力されると、プレーヤにて選択された音源ファイルに対する基本的な再生が実行される。
【００７０】
すなわち、ユーザがショートキーで音源ファイルに対するタッチダウンを行ってからタッチアップすると、プロセッサ１１０は、プレーヤを実行させて選択された音源ファイルを再生する。これに対し、ユーザがロングキーでタッチダウンを行うと、プロセッサ１１０は試聴を実行する。このような場合、プロセッサ１１０は、ロングキー信号が既に入力されたことを識別しているため、試聴だけを終了させ、プレーヤを実行させないこともできる。
【００７１】
このような方法によれば、ユーザのタッチによって指先がタッチスクリーン１１に接触した瞬間に選択された音源ファイルに対する試聴が実行される。ユーザが指先を離していない状態で次の音源ファイルをタッチすると、次の音源ファイルに対する試聴が実行され、タッチスクリーン１１から指先を離すと試聴が中止する。
【００７２】
このように、本発明によれば、タッチスクリーン付き音源再生装置の環境において、ユーザがタッチスクリーンを介しての手動操作によって所望する音源ファイルを簡易に選択して視聴または再生することができるようになる。
【００７３】
本発明は、上述した実施形態に限定されるものではなく、この発明の属する技術分野における通常の知識を有する者ならば本発明の技術思想の範囲内で本発明を様々な形態に変更することができ、かかる変更は、本発明の技術的範囲に該当することはいうまでもない。
【００７４】
本発明は、ユーザインターフェースとしてタッチスクリーンを使用する音源再生装置に有用に適用することができる。本発明によれば、音源再生装置に格納されている複数の音源ファイルの中から所望の音源ファイルを、ユーザがタッチスクリーンを介しての操作によって簡易に選択して再生することができるようにする。
【符号の説明】
【００７５】
１０：音源再生装置
１１：タッチスクリーン
１２、１１０：プロセッサ
１３：メモリ部
１４：音源入力部
１５：音源出力部
１１１：視聴実行部
１１２：タッチ識別部
１１３：プレーヤ管理部
【図１】
2010205394.tif 000003
【図２】
2010205394.tif 000004
【図３】
2010205394.tif 000005
【図６】
2010205394.tif 000006
【図４】
2010205394.tif 000007
【図５】
2010205394.tif 000008